(57)【要約】【課題】電源停止中でもユーザが必要としている情報を表示することができる電子機器を提供する。【解決手段】電子機器の情報表示部を電源停止状態でも表示内容を維持できるメモリ性表示素子で構成するとともに、電源停止時には電源停止直前に所定の情報を前記メモリ性表示素子に表示させてから電源を停止する。【選択図】　図１
2004037705.tif 000002
【特許請求の範囲】
【請求項１】
電力を供給する電源と、
前記電源の電力供給の停止を制御する電源制御手段と、
情報を表示するための表示手段であって、前記電源の電力供給下で表示情報を変更可能であるとともに、前記電源の電力供給なしに電力供給停止時の表示情報を維持可能なメモリ性表示機能を持つ表示手段と、
前記電源制御手段による電力供給の停止の直前に、所定情報を前記表示手段に表示させる表示制御手段と
を備えることを特徴とする電子機器。
【請求項２】
請求項１に記載の電子機器において、前記電源は前記電子機器に着脱可能な電池であり、前記所定情報は前記電池の残量に関する情報であることを特徴とする電子機器。
【請求項３】
請求項１に記載の電子機器において、情報を保管する記憶手段を更に備え、前記所定情報は前記記憶手段の空き容量に関する情報であることを特徴とする電子機器。
【請求項４】
請求項１に記載の電子機器において、撮影により画像情報を生成する撮像手段と、該画像情報を格納する記憶手段とを備え、前記所定情報は前記記憶手段に格納された画像情報であることを特徴とする電子機器。
【請求項５】
請求項１に記載の電子機器において、前記所定情報は前記電源制御手段が電力供給停止を行った時刻に関する情報であることを特徴とする電子機器。
【請求項６】
請求項１に記載の電子機器において、前記所定情報は前記電子機器の所有者に関する個人情報であることを特徴とする電子機器。
【請求項７】
請求項１に記載の電子機器において、前記電源制御手段は複数の電力供給停止要因のうちいずれか１つの要因の発生に基づき前記電源の電力供給を停止するとともに、前記所定情報は前記電源制御手段が電力供給停止を行った要因を特定するための情報であることを特徴とする電子機器。
【請求項８】
請求項１に記載の電子機器において、前記所定情報は手動により選択可能であることを特徴とする電子機器。
【請求項９】
請求項１に記載の電子機器において、前記表示制御手段は電力供給停止時に前記表示手段に表示させた情報を、前記電源の電力供給停止期間中に他の情報に切換えて前記表示手段に表示させることを特徴とする電子機器。
【請求項１０】
請求項１に記載の電子機器において、前記表示制御手段は電力供給停止時に前記表示手段に表示させた情報の内容を、前記電源の電力供給停止期間中に定期的に更新して前記表示手段に表示させることを特徴とする電子機器。
【請求項１１】
請求項１乃至請求項１０に記載の電子機器において、前記表示制御手段は前記電源の電力供給停止期間中に前記表示手段により表示させている情報内容と同一の情報内容を定期的に前記表示手段に再表示させることを特徴とする電子機器。
【請求項１２】
請求項１乃至請求項１０に記載の電子機器において、前記メモリ性表示機能を持つ表示手段は、蓄光性を備えていることを特徴とする電子機器。
【発明の詳細な説明】
【０００１】
【発明の属する技術分野】本発明は、情報を表示するための表示部を備えた電子機器に関し、特に電源を切った状態においてもユーザが必要とする情報を表示することが可能な電子機器に関する。
【０００２】
【従来の技術】携帯電話、ＰＤＡ（Ｐｅｒｓｏｎａｌ　Ｄｉｇｉｔａｌ　Ａｓｓｉｓｔａｎｔ）、電子カメラ等の電子機器では、ユーザが必要とする情報（テキスト情報、画像情報等）をＬＣＤ（液晶表示デバイス）等の電子表示手段により表示している。例えば電子カメラでは、電池残量表示、画像データを格納するためのメモリカードの空き容量、日時表示等の情報を必要に応じて液晶画面などで表示している。
【０００３】
【発明が解決しようとする課題】このような電子機器においては、電子機器の電源ＯＦＦ中にユーザが特定の情報（電池残量表示、メモリカード空き容量、日時表示等）を確認したくなった場合には、電子機器の電源スイッチを操作して電源をいちいち立ち上げ、ＬＣＤ等の電子表示手段に該情報を表示させて確認する必要があった。
【０００４】
また電子機器の電源スイッチＯＦＦ中もＬＣＤ等の低消費電力の電子表示手段により情報を表示する電子機器もあるが、エネルギー容量が比較的少ない電池を電源とするような携帯型の電子機器においては、電源スイッチＯＦＦの期間が長期間に渡った場合、電源スイッチＯＦＦ中の表示により電池エネルギーを消費してしまい、ユーザがいざ使用しようと思った時に、電池残量が少量となっており電子機器を短時間しか使えなかったり、最悪の場合には電池切れで電子機器を使うことができなかったりするという問題があった。
【０００５】
そこで本発明は、電源ＯＦＦ中も電力を消費することが全くあるいはほとんどなく、しかもユーザが必要とする情報を表示し続けることが可能な電子機器を提供することを目的とする。
【０００６】
【課題を解決するための手段】上記目的を達成するため、本発明による電子機器においては、電源の印加なしに表示内容を維持可能なメモリ性表示手段を電子機器に備えるとともに、電子機器の電源ＯＦＦ時にその時点での情報を該メモリ性表示手段に表示させてから電子機器の電源をＯＦＦするようにしたことを特徴とする。
【０００７】
また本発明による電子機器においては、更に電源ＯＦＦ時に前記メモリ性表示手段により表示させる情報を手動により予め選択可能なことを特徴とする。
また本発明による電子機器においては、更に電源ＯＦＦ中に前記メモリ性表示手段が表示している情報を電源ＯＦＦ中に他の情報に切換え可能なことを特徴とする。
【０００８】
また本発明による電子機器においては、更に電源ＯＦＦ中に前記メモリ性表示手段が表示している情報を所定タイミングで更新することを特徴とする。
【０００９】
【発明の実施の形態】以下、図面を参照して本発明の実施形態について説明する。図１は本発明を適用した電子機器の動作の概念図である。電子機器１１０は、電源の印加がない状態でも電源を切った時の表示内容を維持できるメモリ性表示手段１２０を備えており、電源ＯＮ中（図１の上段）は電子機器１１０の使用目的に応じたテキスト情報または画像情報を前記メモリ性表示手段１２０により表示する。例えば図１の上段においては人物の画像データ１３０が表示されている。
【００１０】
電子機器１１０の電源ＯＦＦ時において、電子機器１１０は複数種類の情報のうちで予め指定された種類の情報を前記メモリ性表示手段１２０により表示してから、電子機器１１０は電源をＯＦＦする。したがって電源ＯＦＦ中（図１の中段）は例えば電池残量情報１４０、メモリカード空き容量情報１５０が表示され続ける。
【００１１】
電子機器１１０の電源を再びＯＮ（図１の下段）にすると、電子機器１１０は電源ＯＦＦ中に前記メモリ性表示手段１２０により表示していた情報を消去し、電子機器１１０の使用目的に応じたテキスト情報または画像情報を前記メモリ性表示手段１２０により表示する。例えば図１の下段においては人物の画像データ１６０が表示される。
【００１２】
また電源ＯＦＦ中に所定のタイミングまたは操作に応じて、一瞬だけ電子機器１１０の電源を立ち上げ、該電源立ち上がり期間中に、前記メモリ性表示手段１２０により表示していた情報を更新して表示したり、表示していた情報の種類の切換えて表示する。例えば図１の中段においては、電源ＯＦＦ中に電池残量情報１４０とメモリカード空き容量情報１５０が切換えられて表示される。
【００１３】
図２および図３は、本発明が適用される電子機器の一例である電子カメラ１００の一実施形態の外観図（正面視および背面視）である。図２に示すように電子カメラ１００の前面には被写体像を形成するための撮影レンズ１０、撮影画面を確認するための光学ファインダ１１、撮影時に被写体を照明するためのストロボ１２、被写体の明るさを検知するための測光回路１３が備えられ、上面には撮影を指示するためのレリーズボタン１６、電子カメラ１００の電源のＯＮ／ＯＦＦ制御を行うための電源スイッチ１７が備えられる。側面には電源用の電池を装填するための電池スロット１２０が備えられる。
【００１４】
図３に示すように、電子カメラ１００の背面には光学ファインダ１１の接眼部１９、テキストおよび画像表示用の略正方形の画面を備えた液晶表示素子であるＬＣＤ（左画面）２１とテキスト表示用および画像表示用の略正方形の画面を備えたメモリ性表示部（右画面）２２が配置され、右画面２２の下側には再生画像の選択等に用いられる上方向ボタン２３、下方向ボタン２４、左方向ボタン２５、右方向ボタン２６、決定ボタン２７が配置され、ＬＣＤ２１の下側には電子カメラ１００を撮影モードに設定するための撮影モードボタン２８、電子カメラ１００を再生モードに設定するための再生モードボタン２９、電源ＯＦＦ中に前記メモリ性表示部２２で表示される情報の種類を設定するために用いられる設定ボタン３１が配置され、ＬＣＤ２１の左側には光学ズーム機能（撮影レンズ１０を光学的にズーミングする機能）を操作するためのワイドボタン３２（ワイド側にズーミングする機能）とテレボタン３３（テレ側にズーミングする機能）が配置されている。側面には画像データ保存用のメモリカード７７（着脱式記憶媒体）を装着するためのメモリカードスロット３０が備えられる。
【００１５】
なおレリーズボタン１６、上方向ボタン２３、下方向ボタン２４、左方向ボタン２５、右方向ボタン２６、リセットボタン２７、撮影モードボタン２８、再生モードボタン２９、設定ボタン３１、ワイドボタン３２、テレボタン３３は全てユーザーによって操作される操作キーである。
【００１６】
なお左画面２１および右画面２２の表面上には、指の接触操作により指示された位置に対応する接触位置データを出力する機能を備えたいわゆるタッチスクリーン６６が配置され、画面上に表示された選択項目や画像データの選択に用いることができる。このタッチスクリーン６６はガラス・樹脂等の透明材料によって構成され、ユーザはタッチスクリーン６６の内側に形成される画像やテキストを、タッチスクリーン６６を通して観察することができる。
【００１７】
図４は、図２および図３に示した電子カメラ１００の内部の電気構成例を示すブロック図であって、各構成要素は各種情報データおよび制御データを伝送するためのデータ／制御バス５１を介して互いに接続されている。電子カメラ１００は、画像データの撮影動作を実行する撮影制御回路６０を中心とするブロック、画像ファイルを記憶・保存するメモリカード７７のブロック、画像データおよびその関連情報の表示を実行する画面制御回路９２を中心とするブロック、操作キー６５等のユーザーインターフェースと各制御回路に対する統括制御を行うＣＰＵ５０（中央処理ユニット）を中心とするブロック、各ブロックに電源を供給する電源制御回路６４を中心とするブロックなどから構成される。
【００１８】
電子カメラ１００の電源は、電源ＯＮ中に電子カメラ１００の動作を行うための電力容量の大きな主電源としてメイン電池６３（アルカリ・マンガン電池等の１次電池、ニッケル水素電池、リチウムイオン電池などの２次電池、燃料電池など）と、電源ＯＦＦ中の電力負担の少ない処理に対応するための電力容量の小さなバックアップ電池６２（リチウムボタン電池、アルカリボタン電池など）からなる。ＣＰＵ５０は、電源スイッチ１７の操作状態を検知して、電源制御回路６４を制御して、電源ＯＮ中はメイン電池６３を使用し、電源ＯＦＦ中はバックアップ電池６２を使用する。なお電源ＯＦＦ中にもＣＰＵ５０と電源制御回路６４にはバックアップ電池６２による電源供給が行われるとともに、電源ＯＦＦ中にはＣＰＵ５０はスリープモード（動作クロックを低下させたり、機能を制限することにより電力消費の少なくする動作モード）になっており、操作キー６５、電源スイッチ１７、カード着脱検知ＳＷ８０、電池着脱検知ＳＷ８１、タイマ７４の入力に応じて所定の処理を行う。また電源制御回路６４はメイン電池６３の電圧を測定し、所定値を下回った場合は電源をＯＦＦするための割込み（バッテリチェック割込み）をＣＰＵ５０に対して行う。さらに電源制御回路６４はメイン電池６３が抜き取られた場合は自動的にバックアップ電池６２に電源を切りかえる。
【００１９】
ＣＰＵ５０は電子カメラ１００全体の制御を行う手段であって、操作キー６５、タッチスクリーン６６、電源スイッチ１７、タイマ７４、カード着脱検知ＳＷ８０、電池着脱検知ＳＷ８１、測光回路１３などからの入力情報に応じて撮影制御回路６０、画面制御回路９２、電源制御回路６４などへの各種指示を行う。測光回路１３は被写体の輝度を測定し、その測定結果である測光データをＣＰＵ５０に出力する。ＣＰＵ５０は測光データに応じて、ＣＣＤ５５の露光時間、感度をＣＣＤ駆動回路５６により設定するとともに、該設定データに応じて撮影制御回路６０を介し絞り５３の絞り値を絞り制御回路５４により制御する。
【００２０】
ＣＰＵ５０は撮影モードではレリーズボタン１６の操作に応じて撮影制御回路６０を介し撮影動作を制御する。またＣＰＵ５０は測光データに基づき被写体が暗い場合には、撮影時にストロボ駆動回路７３を介しストロボ１２を発光させる。タイマ７４は時計回路を内蔵し、現在の日時に対応する日時情報を検出し、撮影時に撮影日時情報をＣＰＵ５０に供給するとともに、設定されたデータに応じて周期的な割込み（タイマ割込み）や電源をＯＦＦするための割込み（電源ＯＦＦタイマ割込み）をＣＰＵ５０に対して行う。ＣＰＵ５０は、ＲＯＭ６７（リードオンリメモリ）に記憶されている制御プログラムに従い各部を制御する。ＥＥＰＲＯＭ６８（電気的消去書き込み可能ＲＯＭ）は不揮発性のメモリであって、電子カメラ１００の動作に必要な設定情報等を記憶している。ＲＡＭ７０は揮発性のメモリであって、ＣＰＵ５０の一時的作業領域として用いられる。
【００２１】
撮影制御回路６０は、レンズ駆動回路５２により撮影レンズ１０のフォーカシング、ズーミングを行い、絞り制御回路５４により絞り５３を制御してＣＣＤ５５の露光量をコントロールし、ＣＣＤ駆動回路５６によりＣＣＤ５５の動作を制御する。被写体からの光束は撮影レンズ１０により光量調節のための絞り５３を介し、ＣＣＤ５５上に被写体像として形成され、この被写体像はＣＣＤ５５により撮像される。複数の画素を備えたＣＣＤ５５（チャージカップルドデバイス）は被写体像を撮像するための電荷蓄積型イメージセンサーであり、ＣＣＤ５５上に形成された被写体像の強度に応じた電気的な画像信号をＣＣＤ駆動回路５６により供給される駆動パルスに応じてアナログ処理部５７に出力する。アナログ処理部５７はＣＣＤ５５が光電変換した画像信号を所定のタイミングでサンプリングし、そのサンプリングした信号を所定のレベルに増幅する。Ａ／Ｄ変換回路５８（アナログデジタル変換回路）はアナログ処理部５７でサンプリングした画像信号をデジタル化することによりデジタルデータに変換し、撮影バッファメモリ５９は該デジタルデータを一旦格納する。
【００２２】
撮影制御回路６０は撮影モード中上述の動作を繰り返すとともに、画面制御回路９２はデータ／制御バス５１を介して撮影バッファメモリ５９に順次格納されるデジタルデータを読み出してフレームメモリ６９に一旦格納し、該デジタルデータを表示用画像データに変換してフレームメモリ６９に再格納し、該表示用画像データを左画面２１に表示させるというスルー画像表示動作を繰り返す。また画面制御回路９２は必要に応じてテキスト表示情報をＣＰＵ５０から入手し、表示用テキストデータに変換してフレームメモリ６９に格納し、該表示用テキストデータを右画面２２に表示させる。撮影制御回路６０は撮影バッファメモリ５９に格納したデジタルデータの高周波成分の度合い解析して撮影レンズ１０の焦点調節状態を検出し、検出結果に応じてレンズ駆動回路５２により撮影レンズ１０の焦点調節を行う。
【００２３】
レリーズ時に撮影制御回路６０はＣＰＵ５０から撮影指示を受けると、ＣＣＤ駆動回路５６を介してＣＣＤ５５により被写体像を撮像させ、撮像により生成した画像信号をアナログ処理部５７、Ａ／Ｄ変換回路５８を介して撮影バッファメモリ５９にデジタルデータ（生データ）として一旦格納する。撮影制御回路６０は撮影バッファメモリ５９に一旦格納したデジタルデータを所定の記録フォーマット（ＪＰＥＧなど）に変換または圧縮して画像データを形成する。ＣＰＵ５０は該画像データに所定の付加情報データを付加して画像ファイルを生成しメモリカード７７に保存する。
【００２４】
再生モードにおいては、ＣＰＵ５０はメモリカード７７に保存した画像ファイルから画像データを読み出し、画面制御回路９２は該画像データを表示用画像データに変換してフレームメモリ６９に再格納し、該表示用画像データを左画面２１に再生表示させる。
【００２５】
なおカード着脱検知ＳＷ８０はメモリカード７７がメモリカードスロット３０に装着されたこと、または脱着されたことを検知してＣＰＵ５０に信号を発生する。また電池着脱検知ＳＷ８１はメイン電池６３が電池スロット１２０に装着されたこと、または脱着されたことを検知してＣＰＵ５０に信号を発生する。
【００２６】
図５および図６は右画面２２を構成するメモリ性表示部の一例であって、いわゆるマイクロカプセル型電気泳動方式を採用したメモリ性表示部の説明図である。メモリ性表示部は、透明電極面を有する透明プレート４１と背面電極面を有する背面プレート４０の間に、負に帯電した黒色の粉末４３（カーボン粒子等）、正に帯電した白色の粉末４４（酸化チタン粒子等）を封入したマイクロカプセル４２を挟み込んだ構造となっており、透明プレート４１側から表示を観察するようになっている。図５に示すように透明プレート４１側の透明電極面側に正、背面プレート４０の背面電極面側に負の電圧を印加すると、マイクロカプセル４２内の正に帯電した酸化チタン粒子４４が背面電極面に引き寄せられ、負に帯電したカーボン粒子４３が透明電極面に引き寄せらるれので、透明プレート４１側からは、黒を表示した状態が観察される。反対に図６に示すように透明プレート４１側の透明電極面側に負、背面プレート４０の背面電極面側に正の電圧を印加すると、マイクロカプセル４２内の正に帯電した酸化チタン粒子４４が透明電極面に引き寄せられ、負に帯電したカーボン粒子４３が背面電極面に引き寄せられので、透明プレート４１側からは白を表示した状態が観察される。透明電極と背面電極をマトリックス状に構成することにより、２次元的な表示が可能となる。またマイクロカプセル４２内の酸化チタン粒子４４およびカーボン粒子４３は透明電極面および背面電極面への電圧印加を切ったあともそれぞれのプレート側に吸着しているために、電源ＯＮ時の表示状態が維持される。メモリ性表示部としてはこの他に強誘電性液晶やコレステリック液晶や高分子分散型液晶を用いた表示素子、Ｘｅｒｏｘ社により開発されたツイスティングボール素子、キャノン社により開発されたＩｎ−Ｐｌａｎｅ型の電気泳動型表示素子等の不揮発性表示機能を備えた表示素子を使用することができる。
【００２７】
図７はメモリカード７７内に格納される画像ファイルのデータ構成を示す。図７に示すようにメモリカード７７に格納される各画像ファイルは画像データと付加情報データから構成される。付加情報データは、画像識別情報（ファイル名）と撮影時の各種設定を示す撮影データと撮影日時データとから構成される。図８はＥＥＰＲＯＭ６８に格納される情報の構成を示す図であり、電子カメラ１００の電源ＯＮ状態とＯＦＦ状態を保持するための情報、電源ＯＦＦ時の表示内容を特定する情報、電池電圧などの電源状態を保持する情報、電源をＯＦＦした要因を保持する情報、メモリカード７７のデータ容量、空き容量などの状態を保持する情報などからなる。
【００２８】
図９は上記実施形態における電子カメラ１００の動作の流れと関係を示すメインフローであり、電源スイッチ１７を操作して電源ＯＮするとＳ２０の撮影モードのサブルーチンを実行し撮影可能状態になる。撮影モード中にレリーズボタン１６を操作すると、Ｓ３０のレリーズ割込み処理サブルーチンが実行され、撮影動作が行われる。撮影モード中に再生モードボタン２９を操作すると、Ｓ４０のモード切換割込み処理サブルーチンが実行され、Ｓ５０の再生モードサブルーチンが実行され、メモリカード７７に格納した画像ファイルが読み出され左画面２１に再生表示される。逆に再生モード中に撮影モードボタン２８を操作すると、Ｓ４０のモード切換割込み処理サブルーチンが実行され、Ｓ２０の撮影モードサブルーチンに移行する。また撮影モードまたは再生モードにおいて設定ボタン３１が操作されると、電源ＯＦＦ中に右画面２２に表示する情報の設定を行うための設定割込み処理サブルーチンが実行される。以上が電源ＯＮ中の処理動作である。
【００２９】
Ｓ７０の電源制御割込み処理サブルーチンは電源ＯＮ中および電源ＯＦＦ中に電源制御要因（電源スイッチ１７の操作、電源ＯＦＦタイマ割込み発生、電池着脱）により起動し、電源ＯＦＦ中の表示処理を含め電源制御要因に応じた処理を行う。Ｓ８０のタイマ割込み処理サブルーチンは電源ＯＮ中および電源ＯＦＦ中にタイマ７４が所定時間おきに起動し、電源ＯＦＦ中の表示処理を含め所定の処理を行う。電源ＯＮ中および電源ＯＦＦ中に操作キー６５を操作すると、Ｓ９０の操作キー割込み処理サブルーチンが実行され、電源ＯＦＦ中の表示処理を含め所定の処理が行われる。
【００３０】
図１０は撮影モードサブルーチンの詳細フローチャートであって、Ｓ２０で起動すると、Ｓ２０１の処理を繰り返す。Ｓ２０１では手動または自動でカメラ設定条件で順次ＣＣＤ５５により生成される画像データを図１１に示すように左画面２１にスルー画像で表示し、そのときのカメラ設定条件と日時情報データ（時間データ）を右画面２２にテキスト表示する。
【００３１】
図１２はレリーズ割込み処理サブルーチンの詳細フローチャートであって、Ｓ３０で起動すると、Ｓ３０１で撮影モードであるかチェックし、撮影モードでない場合はＳ３０４に進む。撮影モードの場合は、Ｓ３０２でユーザまたはカメラにより設定されている撮影条件で撮像動作を実行し、Ｓ３０３で得られた画像データに撮影データと時間データを付加してメモリカード７７に格納する。Ｓ３０４では電源ＯＦＦタイマをリセットし、Ｓ３０５でリターンする。なお電源ＯＦＦタイマとは電源ＯＮ中に所定時間電子カメラ１００に対して何の操作も行われない場合に電源を自動的にＯＦＦする機能を実現するためのタイマであり、タイマ７４が所定時間を計時（カウントアップ）することにより起動して、電子カメラ１００を自動的に電源ＯＦＦする。この機能により電池消耗を防止することができる。Ｓ３０４の電源ＯＦＦタイマをリセットするとは、タイマ７４の電源ＯＦＦタイマ用の計時時間データをリセットすることである。
【００３２】
図１３はモード切換割込み処理サブルーチンの詳細フローチャートであって、Ｓ４０で撮影モードボタン２８または再生モードボタン２９の操作により起動すると、Ｓ４０１電源ＯＦＦタイマをリセットし、Ｓ４０２で操作されたボタンが撮影モードボタン２８であるかチェックし、撮影モードボタン２８である場合は再生モードを終了し、Ｓ２０の撮影モードサブルーチンに移行する。操作されたボタンが撮影モードボタン２８でない場合は撮影モードを終了し、Ｓ５０の再生モードサブルーチンに移行する。
【００３３】
図１４は再生モードサブルーチンの詳細フローチャートであって、Ｓ５０で起動すると、Ｓ５０１の処理を繰り返す。Ｓ５０１では左方向ボタン２５、右方向ボタン２６の操作に応じてメモリカード７７に格納された画像データを選択して読み出し、図１５に示すように左画面２１に再生表示するとともに、画像データに対応する撮影データを右画面２２に表示する。なお電源ＯＮ直後の再生モードでは最新の画像データを表示し、以後は左方向ボタン２５の操作に応じて順次時間データの古い画像データを表示するとともに、右方向ボタン２６の操作に応じて順次時間データの新しい画像データを表示する。
【００３４】
図１６は設定ボタン３１の操作により起動する設定割込み処理サブルーチンの詳細フローチャートであってＳ６０で起動すると、Ｓ６０１で図１７に示すように電源ＯＦＦ時の表示内容を選択させるめの画面を右画面２２に表示する。電源ＯＦＦ時の表示内容とは、電子カメラ１００の電源ＯＦＦ中も右画面２２に表示される情報の内容であり、ここではバッテリ状態（バッテリの残量表示）とメモリカード状態（メモリーカードの空き容量）が選択可能になっている。Ｓ６０２でユーザが選択した内容に応じてＥＥＰＲＯＭ６８の電源ＯＦＦ時の表示内容を設定し、Ｓ６０３では電源ＯＦＦタイマをリセットし、Ｓ６０４でリターンする。
【００３５】
図１８は電源制御要因（電源スイッチ１７の操作、電源ＯＦＦタイマ割込み発生、電池着脱）の発生により起動する電源制御割込み処理サブルーチンの詳細フローチャートであってＳ７０で起動すると、Ｓ７０１でＥＥＰＲＯＭ６８のデータにより電源ＯＮ中であるかチェックし、電源ＯＮ中でない場合即ち電源ＯＦＦ中の場合は図１９のＳ７２０以降に示す電源ＯＦＦ中の処理に進む。Ｓ７０１で電源ＯＮであった場合は、Ｓ７０２で電源制御要因が所定要因（電源スイッチ１７の操作、電源ＯＦＦタイマのカウントアップ、バッテリテェック、故障）であるかチェックし、所定要因であった場合は電源をＯＦＦするべく、Ｓ７０３以降の処理を行う。Ｓ７０３では、電源状態、メモリカード状態を検出し、該状態と電源ＯＦＦ要因の情報と電源ＯＦＦの情報をＥＥＰＲＯＭ６８に書き込み、ＥＥＰＲＯＭ６８に設定されている電源ＯＦＦ時の表示内容の情報に応じて、電源状態またはメモリカード状態を右画面２２に表示する。電源状態の表示は電源ＯＦＦの発生要因により以下のように異なる表示を行う。
【００３６】
図２０は右画面２２に通常の電源状態を表示した例であって、電池マーク内に電池残量をグラフ表示している。図２１はバッテリチェックにより電源がＯＦＦされる場合の電源状態の表示例である。またメモリカード状態は図２２から図２４に示すように表示される。図２２は通常のメモリカード状態の表示例であって、円グラフにより全記憶容量と空き記憶容量を視覚的に表示している。図２３はメモリカード７７の空き容量がない場合の表示である。図２４はメモリカード７７がメモリカードスロット３０に装着されていない場合の表示例である。なおＥＥＰＲＯＭ６８に設定されている電源ＯＦＦ時の表示内容がメモリカード状態である場合でも、電源ＯＦＦの要因がバッテリチェックである場合は図２１の表示を行う。またＥＥＰＲＯＭ６８に設定されている電源ＯＦＦ時の表示内容に関わらず、電源ＯＦＦの要因が故障である場合は、図２５に示すように右画面２２に故障である旨を表示する。
【００３７】
Ｓ７０４で所定要因（電源ＯＦＦタイマ、レリーズボタン、モード切換、設定、バッテリチェック、故障）による割込みを禁止し、Ｓ７０５で電源制御回路６４に電源ＯＦＦを指示する。電源制御回路６４は電源ＯＦＦの指示を受けると、メイン電池６３を切りバックアップ電池６２に切りかえる。Ｓ７０９でスリープモードに入る。
【００３８】
Ｓ７０２で電源制御要因が所定要因（電源スイッチ１７の操作、電源ＯＦＦタイマのカウントアップ、バッテリチェック、故障）でない場合には、電源制御要因がメイン電池６３の抜き取りであるかチェックし、電池抜き取りでない場合はＳ７０７でリターンする。電池抜き取りである場合は、Ｓ７０８で電源制御回路６４によりＥＥＰＲＯＭ６８とメモリカード７７と右画面２２にバックアップ電池６２を一時的に印加し、メモリカード状態を読取り、該メモリカード状態と電源ＯＦＦ要因と電源ＯＦＦ情報をＥＥＰＲＯＭ６８に書きこむとともに、図２６に示すように電源抜き取りにより電源がＯＦＦされることを右画面２２に表示し、電源制御回路６４によりＥＥＰＲＯＭ６８とメモリカード７７と右画面２２へのバックアップ電池６２の一時的に印加を終了させ、Ｓ７０９でスリープモードに入る。なお右画面２２にバックアップ電池６２を一時的に印加する場合には、画面制御回路９２およびフレームメモリ６９にもバックアップ電池６２を一時的に印加する。
【００３９】
Ｓ７０１で電源ＯＦＦ中と判断された場合は図１９のＳ７２０で、メイン電池６３が着脱されたあるいはメモリカード７７が着脱されたかテェックし、メイン電池６３が着脱されたあるいはメモリカード７７が着脱された場合は、Ｓ７２１で電源制御回路６４によりＥＥＰＲＯＭ６８とメモリカード７７と右画面２２にバックアップ電池６２を一時的に印加し、メモリカード状態と電源状態を読取り、該メモリカード状態と電源状態をＥＥＰＲＯＭ６８に書きこむとともに、ＥＥＰＲＯＭ６８に設定されている電源ＯＦＦ中の表示内容に応じて電源状態またはメモリカード状態を右画面２２に表示し、電源制御回路６４によりＥＥＰＲＯＭ６８とメモリカード７７と右画面２２へのバックアップ電池６２の一時的に印加を終了させ、Ｓ７２３でスリープモードにリターンする。
【００４０】
Ｓ７２０で、メイン電池６３とメモリカード７７の両方が着脱されていない場合はＳ７２２でメイン電池６３が装着されておりかつ電池電圧が所定値以上あるかチェックし、メイン電池６３が装着されていないかあるいはメイン電池６３の電池電圧が所定値に達していない場合は電源ＯＮせずにＳ７２３でスリープモードにリターンする。メイン電池６３が装着されておりかつ電池電圧が所定値以上ある場合は、Ｓ７２４で電源制御回路６４に電源ＯＮの指示を出す。電源制御回路６４は電源ＯＮの指示を受け、電源をバックアップ電池６２からメイン電池６３に切りかえる。Ｓ７２５でメモリカード状態と電源状態を読取り、該メモリカード状態と電源状態と電源ＯＮ情報をＥＥＰＲＯＭ６８に書きこみ、Ｓ７２６で電源ＯＦＦタイマをリセットし、Ｓ７２７で全ての要因の割込みを許可し、スリープモードを抜けＳ２０の撮影モードサブルーチンに飛ぶ。
【００４１】
図２７はタイマ割込み処理サブルーチンの詳細フローチャートであって、Ｓ８０で所定時間毎に起動すると、Ｓ８０１でＥＥＰＲＯＭ６８のデータにより電源ＯＦＦ中であるかチェックし、電源ＯＦＦ中でない場合即ち電源ＯＮ中はＳ８０２で現在の電源状態を検出し、該検出した情報がＥＥＰＲＯＭ６８に格納した前回の電源状態の情報から変化している場合には、検出した電源状態の情報をＥＥＰＲＯＭ６８に格納する。Ｓ８０３では電子カメラ１００の故障診断を行い、Ｓ８０４では故障が発見されたかチェックし、故障が発見された場合はＳ７０の電源制御割込み処理に飛ぶ。故障が発見されない場合はＳ８１１でリターンする。
【００４２】
Ｓ８０１で電源がＯＦＦであった場合は、Ｓ８０５で現在の電源状態を検出し、電源制御回路６４によりＥＥＰＲＯＭ６８にバックアップ電池６２を一時的に印加し、前回の電源状態をＥＥＰＲＯＭ６８から読取る。Ｓ８０６で検出した電源状態が前回の電源状態から変化したかチェックし、変化しない場合はＳ８１０へ進み、変化した場合はＳ８０７でＥＥＰＲＯＭ６８に検出した電源状態の情報を書きこむ。Ｓ８０８でＥＥＰＲＯＭ６８に格納されている電源ＯＦＦ中の表示内容が電源状態の情報であるかチェックし、電源状態の情報でない場合はＳ８１０に進み、電源状態の情報である場合にはＳ８０９で電源制御回路６４により右画面２２にバックアップ電池６２を一時的に印加し、今回検出した電源状態の情報を右画面２２に表示し、電源制御回路６４による右画面２２へのバックアップ電池６２の一時的に印加を終了させ、Ｓ８１０で電源制御回路６４によるＥＥＰＲＯＭ６８へのバックアップ電池６２の一時的に印加を終了させ、Ｓ８１１でスリープモードにリターンする。
【００４３】
図２８は操作キー割込み処理サブルーチンの詳細フローチャートであって、Ｓ９０で上方向ボタン２３、下方向ボタン２４、左方向ボタン２５、右方向ボタン２６、決定ボタン２７、ワイドボタン３２、テレボタン３３の操作により起動すると、Ｓ９０１でＥＥＰＲＯＭ６８のデータにより電源ＯＦＦ中であるかチェックし、電源ＯＦＦ中である場合はＳ９０２で操作された操作キー６５が上方向ボタン２３、下方向ボタン２４であるかチェックし、上方向ボタン２３、下方向ボタン２４でない場合はＳ９１４でスリープモードへリターンし、上方向ボタン２３、下方向ボタン２４である場合は、Ｓ９０３で電源制御回路６４によりＥＥＰＲＯＭ６８と右画面２２にバックアップ電池６２を一時的に印加し、ＥＥＰＲＯＭ６８に格納された電源状態情報あるいはメモリカード状態情報に応じ、現在右画面２２に表示されている情報の内容とは反対の情報の内容を右画面２２に表示（例えば現在電源状態が表示されている場合はメモリカード状態の情報を表示する）し、電源制御回路６４によるＥＥＰＲＯＭ６８と右画面２２へのバックアップ電池６２の一時的に印加を終了させ、Ｓ９１４でスリープモードへリターンする。
【００４４】
Ｓ９０１でＥＥＰＲＯＭ６８のデータにより電源ＯＦＦ中でない即ち電源ＯＮ中であると判断した場合は、Ｓ９０４で電源ＯＦＦタイマをリセットし、Ｓ９０５で撮影モードであるかチェックし、撮影モードである場合はＳ９０６で操作された操作キー６５がワイドボタン３２であるかチェックし、ワイドボタン３２である場合はＳ９０７で所定量ワイド側に光学ズーミングを行い、Ｓ９１４でリターンする。ワイドボタン３２でない場合は、Ｓ９０８で操作された操作キー６５がテレボタン３３であるかチェックし、テレボタン３３でない場合はＳ９１４でリターンし、テレボタン３３である場合はＳ９０９で所定量テレ側に光学ズーミングを行い、Ｓ９１４でリターンする。
【００４５】
Ｓ９０５で撮影モードでない即ち再生モードであると判断された場合は、Ｓ９１０で操作された操作キー６５が左ボタン２５であるかチェックし、左ボタン２５である場合はＳ９１１で現在左画面２１に表示されている画像データの一つ前の画像データ（撮影順番が一つ前の画像データ）をメモリカード７７から読出して左画面２２に再生表示し、Ｓ９１４でリターンする。左ボタン２５でない場合は、Ｓ９１２で操作された操作キー６５が右ボタン２６であるかチェックし、右ボタン２６でない場合はＳ９１４でリターンし、右ボタン２６である場合はＳ９０９で現在左画面２１に表示されている画像データの一つ後の画像データ（撮影順番が一つ後の画像データ）をメモリカード７７から読出して左画面２２に再生表示し、Ｓ９１４でリターンする。
【００４６】
上記実施形態（図１〜図２８）においては、電子カメラ１００は電源ＯＦＦ時の要因が発生した場合、その時点の電源状態（電池残量）またはメモリカード状態（空き容量）をメモリ性表示部により表示させてから電源をＯＦＦするため、ユーザは電源ＯＦＦ中でも電源を立ち上げる必要なく電源状態（電池残量）またはメモリカード状態（空き容量）を瞬時に確認することができる。
【００４７】
上記実施形態（図１〜図２８）においては、電子カメラ１００が電源ＯＦＦ中にメモリ性表示部により電源状態（電池残量）とメモリカード状態（空き容量）のどちらを表示させるか設定ボタン３１の操作により設定できるようにしたので、メモリ性表示部の表示画面の面積が小さな場合でも必要な情報を電源ＯＦＦ中に確認することができる。
【００４８】
上記実施形態（図１〜図２８）においては、電子カメラ１００が電源ＯＦＦ中にメモリ性表示部により表示している内容（電源状態またはメモリカード状態）を電源ＯＦＦ中の上方向ボタン２３、下方向ボタン２４の操作により他方の内容に切換えてメモリ性表示部に表示させることができるので、ユーザが電源ＯＦＦ中にメモリ性表示部により表示している内容を切り換える場合に、電源をわざわざＯＮする必要がなく、瞬時に必要な情報に切換えて確認することができる。
【００４９】
上記実施形態（図１〜図２８）においては、電子カメラ１００が電源ＯＦＦ中にメモリ性表示部により表示している内容（電源状態またはメモリカード状態）を電源ＯＦＦ中にも所定周期で検出し、表示内容に変化があった場合は表示内容を更新するので、ユーザはメモリ性表示部により表示している内容の最新情報を確認する場合でも、電源をわざわざＯＮする必要がない。
【００５０】
上記実施形態（図１〜図２８）においては、電子カメラ１００は電源ＯＦＦの発生要因（電池電圧低下、故障、電池抜き取り）を電源ＯＦＦ中にメモリ性表示部により表示させるので、ユーザは電子カメラ１００の電源が立ち上がらない場合もその原因を確実に知ることができる。
【００５１】
上記実施形態（図１〜図２８）においては、電子カメラ１００は電源ＯＦＦ中にもメイン電池６３の着脱、メモリカード７７の着脱を検出し、検出に応じて電源ＯＦＦ中にメモリ性表示部により表示させている内容を更新しているので、ユーザは電源をわざわざＯＮする必要なく、電源状態またはメモリカード状態の最新情報をメモリ性表示部により確認することができる。
【００５２】
上記実施形態（図１〜図２８）においては、電子カメラ１００はメモリ性を有さないが応答性の高い左画面２１（液晶表示素子など）応答性は低いがメモリ性を有する低消費電力の右画面２２を有し、左画面２１（液晶表示素子など）に画像データを表示し、右画面２２にテキストまたはアイコンを表示するという具合に２つの表示手段を使い分けているので、電源ＯＮ中にスルー画像または動画の表示を行えるとともに、電源ＯＮ中および電源ＯＦＦ中にテキストおよびアイコンの表示を低消費電力で行うことができる。
（変形形態の説明）本発明は以上説明した実施形態に限定されることなく、種々の変形や変更が可能である。
【００５３】
上記実施形態（図１〜図２８）においては、電源ＯＦＦ中に電源状態またはメモリカード状態をメモリ性表示部により表示しているが、電源ＯＦＦ中に表示する情報はこれに限定されることなく種々の情報を表示することが可能である。例えば電子カメラ１００により撮影されメモリカードに格納された画像データの中から特定な画像データ（最後に撮影した画像データ、ユーザにより指定された画像データ、電源ＯＦＦ時にランダムに決定された画像データ）を電源ＯＦＦ中にメモリ性表示部により表示するようにしてもよい。最後に撮影した画像データを電源ＯＦＦ中に表示すれば、ユーザはいつその電子カメラを最後に使用したかを思い出すことができ、必要に応じてメイン電池やメモリカードを入れ換えたりすることができる。またユーザが指定した画像データを電源ＯＦＦ中に表示すれば、電源ＯＦＦ中にメモリ性表示部の画面をフォトスタンドのように鑑賞用として使うことができる。またＥＥＰＲＯＭ６８にカレンダー情報を記憶しておき、電源ＯＦＦ時に前記カレンダー情報をＥＥＰＲＯＭから読み出してメモリ性表示部に表示するとともに、タイマ７４により検出された日時データの月データまたは日データに応じてランダムに決定された画像データをカレンダー情報とともに電源ＯＦＦ中に表示すれば、電源ＯＦＦ中に独自体裁のカレンダーを画面に表示し、卓上カレンダーとして利用することができる。また電源ＯＦＦ中にタイマにより所定周期で表示している画像データを切りかえるようにしてもよい。このようにすれば電源ＯＦＦ中にメモリ性表示部により表示する画像データを鑑賞用に使用する場合でも飽きることがない。
【００５４】
また画像データ以外に撮影に関する情報を電源ＯＦＦ中にメモリ性表示部により表示するようにしてもよい。例えば輝度に対するシャッター速度と絞りの関係を示す露出計算表を電源ＯＦＦ中にメモリ性表示部により表示しておけばユーザがそれを頻繁に見ることになるので、自然に露出計算表が頭の中に入り、電子カメラをマニュアルで絞り値とシャッタ速度値を決定して使用するのに慣れる。また電子カメラで最後に撮影した時の撮影データ（シャッタ速度、絞り等）を電源ＯＦＦ中にメモリ性表示部により表示しておけば、次に同じような撮影を行う場合に撮影データをメモしておく必要がなくなる。また電子カメラがＧＰＳのような測位手段を内蔵している場合は、撮影を行う際に測位手段により撮影場所のデータを検出し画像データに付加して記憶するとともに、電源ＯＦＦ時に最後に撮影を行った場所に関する情報をメモリ性表示部により表示すれば、ユーザはどこでその電子カメラを最後に使用したかを思い出すことができ、必要に応じてメイン電池やメモリカードを入れ換えたりすることができる。また最後に撮影を行った日時または電源ＯＦＦした日時を電源ＯＦＦ中にメモリ性表示部により表示すれば、ユーザはいつその電子カメラを最後に使用したかを思い出すことができ、必要に応じてメイン電池やメモリカードを入れ換えたりすることができる。
【００５５】
またメモリカードに格納された画像データの識別情報（ファイル名）のリストを電源ＯＦＦ中にメモリ性表示部により表示しておけば、該リストに基づきユーザは電源をＯＮする前に必要に応じてメモリカードを入れかえたりすることができる。また電子カメラが複数の種類の記憶媒体（例えばＰＣカード、ＳＤカード、メモリスチック、スマートメディアなど）を装着可能な場合は、電子カメラに装着された記憶媒体の種類を検出し、該記憶媒体の種類を電源ＯＦＦ中にメモリ性表示部により表示しておけば、ユーザは電源をＯＮする前に必要に応じて記憶媒体を入れかえたりすることができる。また電子カメラの所有者に関する情報（名前、連絡先など）や電子カメラの識別情報（メーカ名、機種名、製造番号）を電源ＯＦＦ中にメモリ性表示部により表示しておけば、電子カメラを紛失した場合でも電子カメラの特定が容易にできるとともに、複数の同じ種類の電子カメラが存在した場合の混同を容易に防止することができる。
【００５６】
上記実施形態（図１〜図２８）においては、電源ＯＦＦ中に電源状態またはメモリカード状態をメモリ性表示部により切換えて表示しているが、図２９に示すように電源ＯＦＦ中に電源状態とメモリカード状態を同時にメモリ性表示部により表示するようにしても構わない。このようにすれば、ユーザは電源ＯＦＦ中に電源状態またはメモリカード状態のどちらをメモリ性表示部により表示させるかを設定する必要がなくなる。
【００５７】
上記実施形態（図１〜図２８）においては、電源ＯＦＦ中に電源状態またはメモリカード状態をメモリ性表示部により表示しているが、電源ＯＦＦ中にはメモリ性表示部により何も表示しないという選択を行えるようにしてもよい。このようにすれば電子カメラの電源ＯＦＦ状態をより明確にユーザが確認することができるとともに、該何も表示しないモードを設定した場合は、電源ＯＦＦ中に電子カメラのバックアップ電池を含めた電源を全てＯＦＦするようにしておけば、電子カメラを長期間使用せずに保存する場合のバックアップ電池の消耗を防止することができる。
【００５８】
上記実施形態（図１〜図２８）においては、電源ＯＦＦ中にＣＰＵはスリープモードになるとともに、バックアップ電池によりＣＰＵなどに電力供給を行っているが、バックアップ電池を備えずに電源ＯＦＦ中の電源供給をメイン電池から行うようにしてもよい。このようにすればバックアップ電池を備える必要がなくなるので、システムをシンプルにできるとともに、電子カメラを小型化することができる。
【００５９】
上記実施形態（図１〜図２８）においては、電源ＯＦＦ中にＣＰＵはスリープモードになるとともに、バックアップ電池によりＣＰＵなどに電力供給を行っているが、電源ＯＦＦ時はバックアップ電池を含めた電源を全てＯＦＦするようにしてもよい。このようにすれば、電源ＯＦＦ時には全く電力を消費しないので、バックアップ電池の消耗を防止したり、バックアップ電池の搭載を不要にしたりすることができる。
【００６０】
上記実施形態（図１〜図２８）においては、電子カメラは電源ＯＦＦ中に電源スイッチを操作することにより電源ＯＮ状態（撮影モード）となるが、電源ＯＦＦタイマのカウントアップによる電源ＯＦＦ状態である場合は、電源ＯＦＦ直前の電子カメラ１００の状態（撮影モード／再生モード、撮影設定データ／再生画像データなど）をＥＥＰＲＯＭに記憶し、電源ＯＦＦタイマによる電源ＯＦＦ中である旨をメモリ性表示部により表示するとともに、いずれかの操作キーの操作に応じてＥＥＰＲＯＭに記憶した電源ＯＦＦ直前の電源ＯＮ状態に復帰するようにしてもよい。このようにすれば、ユーザの意思によらず電源ＯＦＦタイマにより電源がＯＦＦされた場合でも、ユーザは電源ＯＦＦタイマによる電源ＯＦＦである旨を認識できるとともに、電源ＯＦＦタイマが作動する直前の電子カメラの状態に手間をかかずに復帰することができる。
【００６１】
上記実施形態（図１〜図２８）においては、電子カメラの電源ＯＦＦ中に各種情報をメモリ性表示部により表示しているが、本発明は電子カメラに限定されることなくメモリ性表示部を備える電子機器であれば適用可能である。例えば携帯電話の表示画面をメモリ性表示部により構成し、電源ＯＦＦ中にも受信状態（受信電波の強さなど）を定期的に更新してメモリ性表示部により表示すれば、電源をＯＮすることなく受信状態を確認することができるとともに、消費電力を押さえることができる。
【００６２】
上記実施形態（図１〜図２８）においては、電子カメラは主電源として電池を使用しているが、外部電源から電源ケーブルにより電力供給を行う電子機器にも本発明は適用できる。例えば外部電源を主電源とした電子機器において、電源ＯＦＦ中に各種情報をメモリ性表示部により表示すれば、電源ＯＦＦ中に各種情報は電力消費なく確認できるので、電力コストを削減することができる。
【００６３】
上記実施形態（図１〜図２８）においては、メモリ性表示部として図５および図６に示したマイクロカプセル型電気泳動方式の表示を用いているが、長時間に渡って電源ＯＦＦ状態が継続すると電源ＯＦＦ中にメモリ性表示部で表示している情報の表示品質が劣化する虞があるので、所定周期毎に電源をメモリ性表示部に印加してその時点で表示されている情報と同じ表示内容をメモリ性表示部に再表示させるようにしても構わない。
【００６４】
上記実施形態（図１〜図２８）においては、メモリ性表示部として図５および図６に示したマイクロカプセル型電気泳動方式の表示素子を用いるが、正に帯電した白色の粉末４４（酸化チタン粒子）の代わりに蓄光性を有する非黒色の粒子を正に帯電したものを使用してもよい。蓄光性（夜光性）を有する非黒色の粒子としては、硫化物系（硫化亜鉛、硫化銅など）、アルミン酸塩化物系（アルカリ土類アルミン酸塩）、酸化アルミ・酸化ストロンチウム系（酸化アルミ・炭酸ストロンチウムなど）等の残光性蛍光体を用いることができる。このようにすればユーザは夜間においても電源ＯＮ中および電源ＯＦＦ中のメモリ性表示素子による情報を電力消費なしで確認することができる。また上記蓄光性物質を所望の色（透明を含む）のプラスチックやガラスに練りこんで微小球体に成形したマイクロビーズを正に帯電したものをマイクロカプセル型電気泳動方式の白色粉末４４の代わりに用いてもよい。このようにすれば、マイクロビーズの形状が均一化できるのでマイクロカプセル型電気泳動方式の表示素子の性能バラツキを押さえることができるとともに、環境に対し蓄光物質を直接さらさないので蓄光性物質の劣化を防止することができる。
【００６５】
【発明の効果】以上説明したように、本発明による電子機器においては、電源ＯＦＦ時にメモリ性表示手段によりユーザが必要とする情報を表示してから電源をＯＦＦするため、電子機器のユーザは電源ＯＦＦ中でも電源を立ち上げる必要なく所望の情報を確認することができるとともに、確認の結果に応じて必要な処置（電池の交換、メモリカードの交換等）を予め行うことができるので、電子機器を使用する際電源を立ち上げた時点で電池切れ、メモリカード空き容量不足に気が付き、慌てて電池の交換、メモリカードの交換を行うことにより電子機器の使用タイミングを逸する（例えば電子カメラを使用した撮影でシャッターチャンスを逃してしまう）ようなことがなくなる。
【００６６】
また本発明による電子機器においては、電源ＯＦＦ中にメモリ性表示手段により表示する情報の内容をユーザまたは自動により選択可能にしているため、ユーザが必要な情報の種類が複数ある場合にも対応できるとともに、メモリ性表示手段の表示画面を小さくできるので、電子機器の小型化および低コスト化を図ることができる。
【００６７】
また本発明による電子機器においては、電源ＯＦＦ中にメモリ性表示手段により表示する情報の内容を電源ＯＦＦ中に手動または自動により切換可能にしているため、ユーザが必要な情報の種類が複数ある場合にも対応できるとともに、メモリ性表示手段の表示画面を小さくできるので、電子機器の小型化および低コスト化を図ることができる。
【００６８】
また本発明による電子機器においては、電源ＯＦＦ中にメモリ性表示手段により表示する情報の内容を所定のタイミングで更新するため、ユーザは電源ＯＦＦ中に発生した情報の変化も確実に知ることができる。例えば電池残量がリーク電流や温度変化等の要因で電源ＯＦＦの時点よりも減ってきた場合にも、変化した電池残量をメモリ性表示手段により表示するので、ユーザはその表示を確認して電池交換などの処置を講ずることができる。
【図面の簡単な説明】
【図１】本発明の概念図である。
【図２】電子カメラの外観図（正面視）である。
【図３】電子カメラの外観図（背面視）である。
【図４】電子カメラの電気構成を示すブロック図である。
【図５】メモリ性表示部の説明図である。
【図６】メモリ性表示部の説明図である。
【図７】画像ファイルのデータの構成図である。
【図８】ＥＥＰＲＯＭのデータの構成図である。
【図９】メインフローチャートである。
【図１０】サブルーチンのフローチャートである。
【図１１】画面の表示例である。
【図１２】サブルーチンのフローチャートである。
【図１３】サブルーチンのフローチャートである。
【図１４】サブルーチンのフローチャートである。
【図１５】画面の表示例である。
【図１６】サブルーチンのフローチャートである。
【図１７】画面の表示例である。
【図１８】サブルーチンのフローチャートである。
【図１９】サブルーチンのフローチャートである。
【図２０】画面の表示例である。
【図２１】画面の表示例である。
【図２２】画面の表示例である。
【図２３】画面の表示例である。
【図２４】画面の表示例である。
【図２５】画面の表示例である。
【図２６】画面の表示例である。
【図２７】サブルーチンのフローチャートである。
【図２８】サブルーチンのフローチャートである。
【図２９】画面の表示例である。
【符号の説明】
１０　撮影レンズ
２１　ＬＣＤ（左画面）
２２　メモリ性表示部（右画面）
５０　ＣＰＵ
５５　ＣＣＤ
６２　バックアップ電池
６３　メイン電池
６４　電源制御回路
７７　メモリカード
９２　画面制御回路
１００　電子カメラ
１１０　ＰＤＡ
【図１】
2004037705.tif 000003
【図２】
2004037705.tif 000004
【図３】
2004037705.tif 000005
【図４】
2004037705.tif 000006
【図５】
2004037705.tif 000007
【図６】
2004037705.tif 000008
【図７】
2004037705.tif 000009
【図８】
2004037705.tif 000010
【図９】
2004037705.tif 000011
【図１０】
2004037705.tif 000012
【図１１】
2004037705.tif 000013
【図１２】
2004037705.tif 000014
【図１３】
2004037705.tif 000015
【図１４】
2004037705.tif 000016
【図１５】
2004037705.tif 000017
【図１６】
2004037705.tif 000018
【図１７】
2004037705.tif 000019
【図１８】
2004037705.tif 000020
【図１９】
2004037705.tif 000021
【図２０】
2004037705.tif 000022
【図２１】
2004037705.tif 000023
【図２２】
2004037705.tif 000024
【図２３】
2004037705.tif 000025
【図２４】
2004037705.tif 000026
【図２５】
2004037705.tif 000027
【図２６】
2004037705.tif 000028
【図２７】
2004037705.tif 000029
【図２８】
2004037705.tif 000030
【図２９】
2004037705.tif 000031